【手続補正書】
【提出日】平成27年8月5日(2015.8.5)
【手続補正１】
【補正対象書類名】特許請求の範囲
【補正対象項目名】全文
【補正方法】変更
【補正の内容】
【特許請求の範囲】
【請求項１】
像担持体上にトナー像を形成する画像形成手段と、
前記像担持体が回転している間に反射光を検出する検出手段であって、第一の周回において、前記像担持体上の複数の位置の一つ一つに前記トナー像が形成されていない状態における前記像担持体上の前記複数の位置の一つ一つの下地からの第１の反射光を検出し、第二の周回において、前記像担持体上の前記複数の位置のうちの第一群に属する一つ一つの位置に前記トナー像が形成されている状態における前記像担持体上の前記複数の位置のうち前記第一群に属する一つ一つの位置の下地の上に形成されたトナー像からの第２の反射光を検出し、前記第二の周回において、該トナー像の周囲にあるトナー像を形成されていない前記像担持体上の前記複数の位置のうち第二群に属する一つ一つの位置の下地からの第３の反射光を検出する検出手段と、
前記第一の周回において前記像担持体上の前記複数の位置の一つ一つの下地から前記検出手段により検出された前記第１の反射光の反射光量と、前記第二の周回において前記第二群に属する一つ一つの位置の下地から前記検出手段により検出された前記第３の反射光の反射光量との間の反射光量の変化比率を求め、当該変化比率に基づき前記第二の周回において前記トナー像が形成された前記第一群に属する一つ一つの位置の下地の反射光量を推定する下地反射光量推定手段と、
前記第２の反射光の反射光量を、前記下地反射光量推定手段により推定された対応する反射光量で補正する補正手段と、
前記補正手段により補正された補正後の反射光量に基づき、前記画像形成手段の画像形成条件を調整する制御手段と、を有することを特徴とする画像形成装置。
【請求項２】
前記検出手段は、前記第１の反射光を検出した後で、前記第２の反射光および前記第３の反射光を検出することを特徴とする請求項１に記載の画像形成装置。
【請求項３】
前記検出手段は、前記第１の反射光を検出した前記第一の周回の次の周回である前記第二の周回で前記第２の反射光および前記第３の反射光を検出することを特徴とする請求項２に記載の画像形成装置。
【請求項４】
前記検出手段は、前記第２の反射光および前記第３の反射光を検出した後で、前記第１の反射光を検出することを特徴とする請求項１に記載の画像形成装置。
【請求項５】
前記検出手段は、前記第２の反射光および前記第３の反射光を検出した前記第二の周回の次の周回である前記第一の周回で、前記第１の反射光を検出することを特徴とする請求項４に記載の画像形成装置。
【請求項６】
前記第１の反射光が検出される前記像担持体上の位置の範囲は、少なくとも前記第２の反射光が検出される前記像担持体上の位置の範囲を含むことを特徴とする請求項１乃至５のいずれか１項に記載の画像形成装置。
【請求項７】
前記制御手段は、前記画像形成手段の画像形成条件を調整することにより、前記画像形成手段により形成されるトナー像の濃度を調整することを特徴とする請求項１乃至６のいずれか１項に記載の画像形成装置。
【請求項８】
前記下地反射光量推定手段は、前記第一の周回において前記第二群に属する一つ一つの位置の下地から前記検出手段により検出された前記第１の反射光の反射光量と、前記第二の周回において前記第二群に属する一つ一つの位置の下地から前記検出手段により検出された前記第３の反射光の反射光量とから前記第一の周回と前記第二の周回との間の反射光量の変化比率を算出することで前記変化比率を求め、前記変化比率で、前記第一の周回において前記第一群に属する一つ一つの位置の下地から前記検出手段により検出された前記第１の反射光の反射光量のバラツキ値を修正して、前記第二の周回における前記第一群に属する一つ一つの位置の下地からの反射光量を求めることを特徴とする請求項１に記載の画像形成装置。
【請求項９】
前記下地反射光量推定手段は、
前記第一の周回において前記像担持体上の前記複数の位置の一つ一つで検出された前記第１の反射光の反射光量から位置と反射光量との関係を表す第１の式を導出し、
前記第１の式から算出された前記複数の位置の一つ一つの下地についての反射光量と、前記第一の周回に前記像担持体上の前記複数の位置の一つ一つの下地で検出された前記第１の反射光の反射光量との差分をバラツキ値として算出し、
前記第二の周回において前記トナー像を形成されていない前記第二群に属する一つ一つの位置の下地からの前記第３の反射光の反射光量から位置と反射光量との関係を表す第２の式を導出し、
前記第二の周回においてトナー像を形成される前記第一群に属する一つ一つの位置の下地について前記第１の式から算出された反射光量と、前記第２の式から算出された反射光量とから、前記第一の周回と前記第二の周回との間における反射光量の変化比率を前記変化比率として算出し、
前記第一の周回における前記複数の位置の一つ一つの下地でのバラツキ値を対応する前記変化比率で修正して前記第二の周回における前記複数の位置の一つ一つの下地でのバラツキ値を求め、
さらに、前記下地反射光量推定手段は、前記第二の周回においてトナー像を形成される前記第一群に属する一つ一つの位置の下地について前記第２の式から反射光量を求め、該反射光量を対応する修正後の前記バラツキ値で補正して、前記第二の周回においてトナー像を形成される前記第一群に属する一つ一つの位置の下地での反射光量を求めることを特徴とする請求項８に記載の画像形成装置。
【請求項１０】
前記下地反射光量推定手段は、前記第一の周回において前記複数の位置の一つ一つで検出された前記第１の反射光の反射光量について、隣接した複数の位置ごとの反射光量の平均値を求めることで複数の平均値を求め、当該複数の平均値から前記第１の式を導出することを特徴とする請求項９に記載の画像形成装置。
【請求項１１】
前記下地反射光量推定手段は、前記第二の周回において前記トナー像を形成されていない前記第二群に属する一つ一つの位置の下地で検出された前記第３の反射光の反射光量について、隣接した複数の位置ごとの反射光量の平均値を求めることで複数の平均値を求め、当該複数の平均値から前記第２の式を導出することを特徴とする請求項９又は１０に記載の画像形成装置。
【請求項１２】
前記下地反射光量推定手段は、前記第一の周回において前記第二群に属する一つ一つの位置の下地から前記検出手段により検出された前記第１の反射光の反射光量と、前記第二の周回において前記第二群に属する一つ一つの位置の下地から前記検出手段により検出された前記第３の反射光の反射光量とから前記第一の周回と前記第二の周回との間の反射光量の変化比率を算出することで前記変化比率を求め、さらに、前記第一の周回において前記複数の位置の一つ一つの下地で検出された前記第１の反射光の反射光量を、前記変化比率で補正することで、前記第二の周回における前記トナー像が形成された前記第一群に属する一つ一つの位置の下地での反射光量を推定することを特徴とする請求項１に記載の画像形成装置。
【請求項１３】
前記補正手段は、前記第二の周回で検出された前記トナー像からの前記第２の反射光の反射光量の平均値を求め、該平均値を、前記下地反射光量推定手段により求められた反射光量で補正することを特徴とする請求項１乃至１２のいずれか１項に記載の画像形成装置。
【請求項１４】
前記第一の周回において前記複数の位置のうちの一つ一つの下地について検出された反射光量から第１のプロファイルを求め、前記第二の周回において前記第一群に属する一つ一つの位置についてトナー像から検出された反射光量と前記第二群に属する一つ一つの位置の下地について検出された反射光量から第２のプロファイルを求めるプロファイル導出手段と、
前記第１のプロファイルと前記第２のプロファイルとを比較して、前記第一の周回において反射光量を検出された位置に対応する前記第二の周回において反射光量を検出された位置を特定し、前記第二の周回において反射光量を検出された位置のデータを修正する位置データ修正手段と、をさらに有することを特徴とする請求項１に記載の画像形成装置。
【請求項１５】
回転体を回転させながら、該回転体のh周回目に、該回転体の周面における複数の位置の一つ一つの位置の下地からの反射光を検出し、該回転体のi周回目に、前記複数の位置のうちの第一群に属する一つ一つの位置の下地の上に形成されたトナー像からの反射光と、前記複数の位置のうち、該トナー像の周囲にある位置であってトナー像を形成されていない第二群に属する一つ一つの位置の下地からの反射光とを検出する検出手段（hとiは異なる自然数）と、
前記回転体の前記h周回目に前記複数の位置のうちの一つ一つの位置の下地から検出された反射光量と、前記回転体の前記i周回目に前記第二群に属する一つ一つの位置の下地から検出された反射光量との間の変化比率を求め、当該変化比率に基づき、前記回転体の前記i周回目における前記トナー像が形成された前記第一群に属する一つ一つの位置の下地の反射光量を推定する下地反射光量推定手段と、
前記回転体の前記i周回目に前記第一群に属する一つ一つの位置に形成された前記トナー像からの反射光量を、前記下地反射光量推定手段により推定された前記第一群に属する一つ一つの位置の下地の反射光量で補正する補正手段と、
前記補正手段により補正された補正後の反射光量に基づき濃度に係る画像形成条件を調整する制御手段と、を有することを特徴とする画像形成装置。
【請求項１６】
回転体を回転させながら、該回転体のh周回目に、該回転体の周面おける複数の位置の一つ一つの位置の下地からの反射光を検出し、該回転体のi周回目に、前記複数の位置のうちの第一群に属する一つ一つの位置の下地の上に形成されたトナー像からの反射光と、前記複数の位置のうち、該トナー像の周囲にある位置であってトナー像を形成されていない第二群に属する一つ一つの位置の下地からの反射光とを検出し（hとiは異なる自然数）、
前記回転体の前記h周回目に前記複数の位置のうちの一つ一つの位置の下地から検出された反射光量と、前記回転体の前記i周回目に第二群に属する一つ一つの位置の下地から検出された反射光量との間の変化比率を求め、前記変化比率に基づき、前記回転体の前記i周回目における前記トナー像が形成された前記第一群に属する一つ一つの位置の下地の反射光量を推定し、
前記回転体の前記i周回目に前記第一群に属する一つ一つの位置に形成された前記トナー像からの反射光量を、前記推定された前記第一群に属する一つ一つの位置の下地の反射光量で補正し、
前記補正された補正後の反射光量に基づき濃度に係る画像形成条件を調整することを特徴とする画像形成方法。
【請求項１７】
像担持体上にトナー像を形成する画像形成手段と、
前記像担持体が回転している間に反射光を検出する検出手段であって、第一の周回において、前記像担持体上の複数の位置の一つ一つに前記トナー像が形成されていない状態における前記像担持体上の前記複数の位置の一つ一つの下地からの第１の反射光を検出し、第二の周回において、前記像担持体上の前記複数の位置のうちの第一群に属する一つ一つの位置に前記トナー像が形成されている状態における前記像担持体上の前記複数の位置のうち前記第一群に属する一つ一つの位置の下地の上に形成されたトナー像からの第２の反射光を検出し、前記第二の周回において、該トナー像の周回囲にあるトナー像を形成されていない前記像担持体上の前記複数の位置のうち第二群に属する一つ一つの位置の下地からの第３の反射光を検出する検出手段と、
前記第一の周回において前記像担持体上の前記複数の位置の一つ一つの下地から前記検出手段により検出された前記第１の反射光の反射光量と、前記第二の周回において前記第二群に属する一つ一つの位置の下地から前記検出手段により検出された前記第３の反射光の反射光量とに基づき前記第二の周回において前記トナー像が形成された前記第一群に属する一つ一つの位置の下地の反射光量を推定する下地反射光量推定手段と、
前記第２の反射光の反射光量を、前記下地反射光量推定手段により推定された対応する反射光量で補正する補正手段と、
前記補正手段により補正された補正後の反射光量に基づき、前記画像形成手段の画像形成条件を調整する制御手段と、を有し、
前記検出手段は、前記第２の反射光と前記第３の反射光とが前記検出手段により検出された後で前記第１の反射光を検出することを特徴とする画像形成装置。
【請求項１８】
回転体を回転させながら、該回転体のh周回目に、該回転体の周面における複数の位置の一つ一つの位置の下地からの反射光を検出し、該回転体のi周回目に、前記複数の位置のうちの第一群に属する一つ一つの位置の下地の上に形成されたトナー像からの反射光と、前記複数の位置のうち、該トナー像の周囲にある位置であってトナー像を形成されていない第二群に属する一つ一つの位置の下地からの反射光とを検出する検出手段（hとiは異なる自然数）と、
前記回転体の前記h周回目に前記複数の位置のうちの一つ一つの位置の下地から検出された反射光量と、前記回転体の前記i周回目に前記第二群に属する一つ一つの位置の下地から検出された反射光量とから、前記回転体の前記i周回目における前記トナー像が形成された前記第一群に属する一つ一つの位置の下地の反射光量を推定する下地反射光量推定手段と、
前記回転体の前記i周回目に前記第一群に属する一つ一つの位置に形成された前記トナー像からの反射光量を、前記下地反射光量推定手段により推定された前記第一群に属する一つ一つの位置の下地の反射光量で補正する補正手段と、
前記補正手段により補正された補正後の反射光量に基づき濃度に係る画像形成条件を調整する制御手段と、を有し、
前記検出手段は、前記i周回目において前記第一群に属する一つ一つの位置に形成された前記トナー像からの反射光と前記トナー像の周囲にある位置であって前記トナー像を形成されていない前記第二群に属する一つ一つの位置の下地からの反射光とを検出した後で、前記回転体の前記h周回目に前記回転体の周面における前記複数の位置の一つ一つの位置の下地からの反射光を検出することを特徴とする画像形成装置。
【手続補正２】
【補正対象書類名】明細書
【補正対象項目名】００１０
【補正方法】変更
【補正の内容】
【００１０】
本発明によれば、
像担持体上にトナー像を形成する画像形成手段と、
前記像担持体が回転している間に反射光を検出する検出手段であって、第一の周回において、前記像担持体上の複数の位置の一つ一つに前記トナー像が形成されていない状態における前記像担持体上の前記複数の位置の一つ一つの下地からの第１の反射光を検出し、第二の周回において、前記像担持体上の前記複数の位置のうちの第一群に属する一つ一つの位置に前記トナー像が形成されている状態における前記像担持体上の前記複数の位置のうち前記第一群に属する一つ一つの位置の下地の上に形成されたトナー像からの第２の反射光を検出し、前記第二の周回において、該トナー像の周囲にあるトナー像を形成されていない前記像担持体上の前記複数の位置のうち第二群に属する一つ一つの位置の下地からの第３の反射光を検出する検出手段と、
前記第一の周回において前記像担持体上の前記複数の位置の一つ一つの下地から前記検出手段により検出された前記第１の反射光の反射光量と、前記第二の周回において前記第二群に属する一つ一つの位置の下地から前記検出手段により検出された前記第３の反射光の反射光量との間の反射光量の変化比率を求め、当該変化比率に基づき前記第二の周回において前記トナー像が形成された前記第一群に属する一つ一つの位置の下地の反射光量を推定する下地反射光量推定手段と、
前記第２の反射光の反射光量を、前記下地反射光量推定手段により推定された対応する反射光量で補正する補正手段と、
前記補正手段により補正された補正後の反射光量に基づき、前記画像形成手段の画像形成条件を調整する制御手段と、を有することを特徴とする画像形成装置が提供される。